(57)【要約】【課題】  画像データに音声データを付与して保存するのに、所望の圧縮方式で圧縮でき、保存限界量を気にすることなく付与し得る画像処理装置を提供する。【解決手段】  スキャンキー１０ａが操作されると（ＳＴ１）、原稿画像を読み取り、読み取りデータを画像データファイル６ａ１に保存する（ＳＴ２、ＳＴ３）。次に、音声付与キー１０ｂが操作され、前記画像データの説明が音声で録音入力される（ＳＴ５）、圧縮方式が指定選択されていれば（ＳＴ６）、その選択された圧縮方式で入力された音声データを圧縮し、画像データファイル６ａ１に関連する音声データファイル６ａ２に、音声データを保存する（ＳＴ８）。保存された画像データを、これに付与された音声データをファイルより読み出して、送出する（ＳＴ９）。【選択図】      図３
2005184715.tif 000002
【特許請求の範囲】
【請求項１】
画像データを入力する画像データ入力手段と、
音声データを複数の方式で圧縮できる音声データ圧縮手段と、
入力した画像データに付加情報として音声データを付加して保存するデータ記憶手段と、
このデータ記憶手段へ音声データを付加して保存する際に、付加する音声データの圧縮方式を複数の圧縮方式の中から選択する手段とを備えたことを特徴とする画像処理装置。
【請求項２】
画像データを入力する画像データ入力手段と、
音声データを複数の方式で圧縮できる音声データ圧縮手段と、
入力した画像データに付加情報として音声データを付加して保存するデータ記憶手段と、
このデータ記憶手段へ音声データを付加して保存する際に、付加する音声データの圧縮方式を複数の圧縮方式の中から１又は複数選択できる選択手段とを備え、複数選択された場合、選択された圧縮方式毎に圧縮データを生成することを特徴とする画像処理装置。
【請求項３】
前記音声データの付加は、録音手段により都度録音するか、予め録音しておいたものから選択することを特徴とする請求項１又は請求項２記載の画像処理装置。
【発明の詳細な説明】
【技術分野】
【０００１】
この発明は、複写機、ファクシミリ装置、複合機等の画像処理装置に関する。
【背景技術】
【０００２】
一般に複合機等の画像処理装置においては、操作ガイダンスを行うのにガイダンスメッセージを表示部に表示するとともに、音声表示するものがよく知られている。
【０００３】
また、デジタルカメラで撮影して得られた画像情報に、その撮影対象に関する情報や撮影条件などの情報（コンテンツ情報）を音声入力し、それを付加情報として撮影画像とともにプリントすることが開示されている。また、このコンテンツ情報は、音声、音楽、動画像、静止画像等であり、コンテンツ情報再生手段により、それを再生することも開示されている。また、コンテンツ情報を再生する際、圧縮符号化されている場合には解凍することも開示されている（例えば、特許文献１参照）。
【特許文献１】特開２００２−１５８８５６号公報
【発明の開示】
【発明が解決しようとする課題】
【０００４】
上記した従来の複合機では、ガイダンス用のメッセージを音声で出力するものはあるが、スキャン画像データを音声で説明するために、音声情報を付加するものはない。また、デジタルカメラでコンテンツ情報を音声で入力するものはあり、音声情報を圧縮記憶している。
【０００５】
複合機においては、スキャン画像データに音声データを付与すれば非常に便利であるが、単に音声データを１つの圧縮方式のみで圧縮符号化するのみでは、場合により十分な圧縮率が得られず、付与し得る音声データ量に限界が生じるという問題がある。
【０００６】
この発明は上記問題点に着目してなされたものであって、画像データに音声データを付与して保存するのに、所望の圧縮方式で圧縮でき、保存限界量を気にすることなく付与し得る画像処理装置を提供することを目的としている。
【課題を解決するための手段】
【０００７】
この発明の画像処理装置は、画像データを入力する画像データ入力手段と、音声データを複数の方式で圧縮できる音声データ圧縮手段と、入力した画像データに付加情報として音声データを付加して保存するデータ記憶手段と、このデータ記憶手段へ音声データを付加して保存する際に、付加する音声データの圧縮方式を複数の圧縮方式の中から選択する手段とを備えている。
【０００８】
この発明の画像処理装置は、画像データを入力する画像データ入力手段と、音声データを複数の方式で圧縮できる音声データ圧縮手段と、入力した画像データに付加情報として音声データを付加して保存するデータ記憶手段と、このデータ記憶手段へ音声データを付加して保存する際に、付加する音声データの圧縮方式を複数の圧縮方式の中から１又は複数選択できる選択手段とを備え、複数選択された場合、選択された圧縮方式毎に圧縮データを生成することができる。
【０００９】
この発明の画像処理装置において、前記音声データの付加は、録音手段により都度録音するか、予め録音しておいたものから選択することとしても良い。
【発明の効果】
【００１０】
この発明によれば、画像ファイルに付与する音声データは、複合機の圧縮方式より選択した圧縮方式で保存するので、最も圧縮効率の良い保存を行うことができる。また、画像データに対して、音声データを付与することにより、画像データに対するメモとして使用することができる。
【発明を実施するための最良の形態】
【００１１】
以下、実施の形態により、この発明をさらに詳細に説明する。この発明の実施形態に係る画像処理装置としてのファクシミリ装置の概略模式構成を図１に示す。このファクシミリ装置は、ファクシミリ機能、コピー機能、スキャナ機能、ネットワークプリント機能等を併存する複合機として構成したものである。
【００１２】
このファクシミリ装置は、主制御部（ＣＰＵ）１と、ＮＣＵ（網制御回路：Ｎｅｔｗｏｒｋ  Ｃｏｎｔｒｏｌ  Ｕｎｉｔ）２と、ＭＯＤＥＭ３と、ＲＯＭ４と、ＲＡＭ５と、画像メモリ６と、音声データメモリ（音声データ記憶部）７と、音声出力部８と、表示部９と、操作部１０と、画像読取部１１と、画像記録部１２と、ＣＯＤＥＣ１３と、ＬＡＮＩ／Ｆ１４と、音声マイク１５と、バス１６とを備えている。
【００１３】
主制御部（ＣＰＵ）１は、この装置を構成する各部を制御する。この制御には、原稿画像読取処理、読取画像・受信画像のプリント処理等の制御の他、モノクロ画像、又はカラー画像を相手機に送信し、あるいは相手機から受信する場合の制御が含まれる。ＮＣＵ２は、通信回線である電話回線網（ＰＳＴＮ）１７との接続を制御すると共に、相手先の電話番号（ＦＡＸ番号を含む）に対応したダイヤル信号を送出する機能及び着信を検出するための機能を備えている。ＭＯＤＥＭ３は、ＩＴＵ（国際電気通信連合）−Ｔ勧告Ｔ．３０、Ｔ．４等に従ったファクシミリ伝送制御手順に基づいて、Ｖ．１７、Ｖ．２７ｔｅｒ、Ｖ．２９等に従った送信データの変調及び受信データの復調を行う。あるいは、これらに代えてＶ．３４に従って送信データの変調及び受信データの復調を行う。
【００１４】
ＲＯＭ４は、この装置を制御するためのプログラムを記憶する。ＲＡＭ５は、データ等を一時的に記憶する。また、画像メモリ６は、モノクロあるいはカラーの受信画像データや画像読取部９で読み取ったモノクロあるいはカラーの読み取り画像データを圧縮して記憶する。この画像メモリ６は、読み取り画像データを保存するファイルの記憶領域６ａを有する。この画像データファイル６ａは、圧縮画像データを記憶する画像データファイル６ａ１と、この画像データに付与して記憶される音声データファイル６ａ２とを有する。また、図２に示すように、音声データファイル６ａ２は、それぞれ異なる複数の圧縮方式のうちの第１の方式で圧縮された音声データを記憶する第１の音声データファイル６ａ２１と、第２の方式で圧縮された音声データを記憶する第２の音声データファイル６ａ２２と、第３の方式で圧縮された音声データを記憶する第３の音声データファイル６ａ２３とを有する。ここで言う複数の圧縮方式は、ＷＰＥＧ方式、ＷＡＶ方式等である。
【００１５】
音声データメモリ７は、各種音声ガイダンスとしての音声データを記憶する。上記した画像メモリ６に格納する音声データファイル６ａ２をここに記憶するようにしても良い。音声出力部８は、音声データメモリ７に記憶された音声ガイダンスや、画像メモリ６の音声データファイル６ａ２に記憶されている音声データを、スピーカなどにより出力する。
【００１６】
表示部（ＬＣＤ）９は、アイコン、キーボードの表示や、データの送受信に必要なメッセージ内容等を表示する。操作部１０は、スキャンキー１０ａ、音声付与キー１０ｂ、圧縮方式選択キー１０ｃの他、スタートキー、モード切替キー、カセット選択キー、テンキー、登録キー、その他のキーを有する。スキャンキー１０ａは、スキャン処理を開始するときに操作するキーであり、音声付与キー１０ｂは、スキャン時に読み取った画像に音声による説明を付与する場合に操作するキーであり、圧縮方式選択キー１０ｃは、音声データを圧縮するのに複数の圧縮方式の中から１つ又は複数の圧縮方式を選択する場合に操作するキーである。  画像読取部１１は、ＦＡＸ送信するときに、あるいはコピーするときに、原稿を光学的に走査して画像データを読み取る。この画像読取部１１は、モノクロ画像とカラー画像とを読み取ることが可能である。
【００１７】
画像記録部１２は、電子写真式のプリンタよりなり、受信画像データやコピー動作において、画像読取部１１で読み取った原稿の画像データを記録紙上に記録する。この画像記録部１４はカラープリントも可能である。ＣＯＤＥＣ１３は、送信すべき画像データ、画像メモリ６に記憶するデータを符号化し、また、受信した画像データを復号する。ＬＡＮＩ／Ｆ１４は、ＰＣ（パーソナルコンピュータ）その他のＬＡＮ（ローカルエリアネットワーク）１８を構成する外部機器に接続され、ここを介して外部機器とのデータ授受を行う。
【００１８】
録音マイク１５は、画像読取部１１での原稿のスキャン時に画像データの音声による説明（音声データ）を録音入力する。
【００１９】
次に、この実施形態ファクシミリ装置におけるスキャン時の処理動作を説明する。ステップＳＴ１において、スキャンキー１０ａが操作されたか否かを判定する。スキャンキー１０ａが操作されると、ステップＳＴ２へ移行する。ステップＳＴ２においては、画像読取部１１で原稿画像を読み取る。次に、ステップＳＴ３へ移行する。ステップＳＴ３においては、読取画像データを画像メモリ６の（画像）データファイル６ａの画像データファイル６ａ１に保存記憶する。続いて、ステップＳＴ４へ移行する。
【００２０】
ステップＳＴ４においては、音声付与キー１０ｂが操作されたか否かを判定する。音声付与キー１０ｂが操作されると、ステップＳＴ５へ移行する。一方、画像データが保存されてから一定時間を経過しても音声付与キー１０ｂが操作されないと、ステップＳＴ９へ移行する。
【００２１】
ステップＳＴ５においては、ユーザが録音読取画像に関する説明を音声で行うと、マイク１５を用いて、録音入力される。この場合、ユーザは原稿画像読み取りを行う毎に、読み取り画像データに付与する音声データを、都度録音入力することになる。次に、ステップＳＴ６へ移行する。ステップＳＴ６においては、圧縮方式選択キー１０ｃが操作されたか否かを判定する。圧縮方式選択キー１０ｃが操作されると、ステップＳＴ８へ移行する。一方、圧縮方式選択キー１０ｃが操作されていない場合は、ステップＳＴ７へ移行する。
【００２２】
ステップＳＴ８においては、選択された圧縮方式で音声データを圧縮し、保存する。例えば、第１の圧縮方式、第２の圧縮方式、第３の圧縮方式が選択された場合、第１の圧縮方式で圧縮された音声データは、第１の音声データファイル６ａ２１に、第２の圧縮方式で圧縮された音声データは第２の音声データファイル６ａ２２に、第３の圧縮方式で圧縮された音声データは第３の音声データファイル６ａ２３に記憶される。また、例えば第２の圧縮方式のみが選択された場合は、第２の圧縮方式で圧縮された音声データが第２の音声データファイル６ａ２２に記憶される。次に、ステップＳＴ９へ移行する。
【００２３】
ステップＳＴ９においては、外部ＰＣに向け画像ファイルデータを送出する。この場合、ステップＳＴ４において、音声付与キー１０ｂが操作されているとの判定がＮＯで、このステップＳＴ９に移行して来た場合には、音声データファイルＣａ２には何ら音声データが記憶されていないので、画像データファイル６ａ１の画像データを送出する。また、ステップＳＴ７において、例えば所定の第１の圧縮方式で音声データを圧縮し、保存している場合には、画像データファイル６ａ１の画像データに付与して、音声データファイル６ａ２１の音声データも送出する。
【００２４】
更にまた、ステップＳＴ８において、例えば音声データが第１、第２、第３の圧縮方式で圧縮され、それぞれ第１、第２、第３の音声データファイル６ａ２１、６ａ２２、６ａ２３に記憶されている場合には、このステップＳＴ９において、画像データファイル６ａ１の画像データに付与して、第１、第２、第３の音声データファイル６ａ２１、６ａ２２、６ａ２３に記憶されている音声データを送出する。
【００２５】
なお、上記実施形態において、画像データと、これに付与する音声データは１つのデータファイル６ａに記憶しているが、これに代えて、画像データと、これに付与する音声データは別々のファイルとして格納しても良い。この場合、付与する音声データのファイルと、その対応する画像データのファイルは関連付けておく。
【００２６】
また、上記実施形態において、付与すべき音声データは、録音マイクから画像読み取りの都度、入力するようにしているが、これに代えて、予め音声データを複数種類記憶しておき、その中から選択して付与しても良い。更に、この録音マイクによる都度録音と、予め録音し、メモリに登録してあるものとを選択し得るようにしても良い。
【図面の簡単な説明】
【００２７】
【図１】この発明が実施されるファクシミリ装置の概略構成を示すブロック図である。
【図２】同ファクシミリ装置の画像データファイルの記憶データ例を示す図である。
【図３】同ファクシミリ装置の原稿スキャン時の処理動作を説明するためのフロー図である。
【符号の説明】
【００２８】
１      主制御部（ＣＰＵ）
２      ＮＣＵ
３      ＭＯＤＥＭ
４      ＲＯＭ
５      ＲＡＭ
６      画像メモリ
６ａ１  画像データファイル
６ａ２  音声データファイル
７      音声データメモリ
８      音声出力部
１０    操作部
１０ａ  スキャンキー
１０ｂ  音声付与キー
１０ｃ  圧縮方式選択キー
１１    画像読取部
１２    画像記録部
１３    ＣＯＤＥＣ
１４    ＬＡＮＩ／Ｆ
１５    録音マイク
１６    バス
１７    公衆回線
１８    ＬＡＮ
【図１】
2005184715.tif 000003
【図２】
2005184715.tif 000004
【図３】
2005184715.tif 000005